(57)【要約】【課題】  本発明の目的は、連写をした後の撮影後の確認用の画像の表示において、画像を見逃す可能性を低減することである。【解決手段】  被写体像を視認可能なファインダ部と、前記ファインダ部の外にある表示手段と、１回の撮影指示に応じて少なくとも第１の撮影と前記第１の撮影の後に行われる第２の撮影とを含む複数の撮影を連続して行う連写で撮影された複数の画像を、前記連写が行われた後にレビュー表示として前記表示手段に順次表示する際に、前記第１の撮影で取得された第１の画像の表示時間を、前記第２の撮影で取得された第２の画像の表示時間よりも長くするように制御する制御手段とを有することを特徴とする。【選択図】  図４
2018125820.tif 000002
【特許請求の範囲】
【請求項１】
被写体像を視認可能なファインダ部と、
前記ファインダ部の外にある表示手段と、
１回の撮影指示に応じて少なくとも第１の撮影と前記第１の撮影の後に行われる第２の撮影とを含む複数の撮影を連続して行う連写で撮影された複数の画像を、前記連写が行われた後にレビュー表示として前記表示手段に順次表示する際に、
前記第１の撮影で取得された第１の画像の表示時間を、前記第２の撮影で取得された第２の画像の表示時間よりも長くするように制御する制御手段とを有することを特徴とする撮像装置。
【請求項２】
連写では、撮影指示がされている期間に応じた複数の画像の撮影が連続して行われることを特徴とする請求項１に記載の撮像装置。
【請求項３】
さらに、連写には前記第２の撮影の後に行われる第３の撮影と第４の撮影とが含まれており、前記第２の画像の表示時間は、前記第３の撮影で取得された第３の画像と、前記４の撮影で取得された第４の画像の表示時間と同じであることを特徴とする請求項１または２に記載の撮像装置。
【請求項４】
記録媒体に記録された画像を再生する再生モードへと切り替え可能な切替手段をさらに有し、
前記再生モードにおいて連写で撮影された複数の画像を自動的に順次切り替えて表示する場合には、前記第１の画像の表示時間も前記第２の画像の表示時間も同じであることを特徴とする請求項１乃至３のいずれか１項に記載の撮像装置。
【請求項５】
前記レビュー表示においては、連写で撮影された複数の画像は、ユーザの操作がなくても、順次切り替えて表示されることを特徴とする請求項１乃至４のいずれか１項に記載の撮像装置。
【請求項６】
前記表示手段は、撮像部により取得された画像をライブビュー画像として表示可能であり、
前記制御手段は、前記表示手段にライブビュー画像が表示されていない状態で連写が行われた場合に前記制御を行うように制御することを特徴とする請求項１乃至５のいずれか１項に記載の撮像装置。
【請求項７】
前記制御手段は、前記表示手段に前記ライブビュー画像が表示されている状態で連写が行われた場合のレビュー表示においては、前記第１の画像の表示時間は前記第２の画像の表示時間と同じとなるように制御することを特徴とする請求項６に記載の撮像装置。
【請求項８】
前記第１の撮影は連写の１回目の撮影であり、前記第２の撮影は連写の２回目の撮影であることを特徴とする請求項１乃至７のいずれか１項に記載の撮像装置。
【請求項９】
前記制御手段は、連写後の前記レビュー表示において、前記表示手段に前記第１の画像を表示してから第１の時間が経過したことに応じて、前記表示手段に表示する画像を前記第２の画像に切り替え、さらに前記第２の画像を表示してから前記第１の時間より短い第２の時間が経過したことに応じて、前記表示手段に表示する画像を前記第２の撮影の後に行われた撮影で取得された第３の画像に切り替えるように制御することを特徴とする請求項１乃至８のいずれか１項に記載の撮像装置。
【請求項１０】
前記制御手段は、前記第３の画像を表示してから前記第２の時間が経過したことに応じて、前記第３の画像の撮影後に行われた撮影で取得された第４の画像に切り替えるように制御することを特徴とする請求項９に記載の撮像装置。
【請求項１１】
前記ファインダへの接近検知手段をさらに有し、
前記制御手段は、連写後に前記接近検知手段が前記ファインダへの接近を検知しなくなると、前記レビュー表示における前記第１の画像の前記表示手段への表示を開始するように制御することを特徴とする請求項１乃至１０のいずれか１項に記載の撮像装置。
【請求項１２】
撮影指示が可能な撮影指示手段をさらに有し、
前記制御手段は、連写後に前記撮影指示手段の指示が解除されたことに応じて、前記レビュー表示における前記第１の画像の前記表示手段への表示を開始するように制御することを特徴とする請求項１乃至１０のいずれか１項に記載の撮像装置。
【請求項１３】
撮影準備指示が可能な撮影準備指示手段をさらに有し、
前記制御手段は、連写後に前記撮影準備指示手段の指示が解除されたことに応じて、前記レビュー表示における前記第１の画像の前記表示手段への表示を開始するように制御することを特徴とする請求項１乃至１０のいずれか１項に記載の撮像装置。
【請求項１４】
前記制御手段は、連写の終了後から所定の時間が経過した後に、前記レビュー表示における前記第１の画像の表示時間の計測を開始するように制御することを特徴とする請求項１乃至１０のいずれか１項に記載の撮像装置。
【請求項１５】
前記ファインダは光学式ファインダであることを請求項１乃至１４のいずれか１項に記載の撮像装置。
【請求項１６】
少なくとも連写を行う連写モードと、撮影指示の期間に関わらず１回の撮影指示に応じて１回の撮影を行う単写モードとから撮影モードを選択可能であり、
前記連写モードが選択された場合に、連写で撮影された複数の画像を、前記連写が行われた後にレビュー表示として前記表示手段に順次表示する際に、
前記第１の画像の表示時間を、前記第２の画像の表示時間よりも長くするように制御することを特徴とする請求項１乃至１５のいずれか１項に記載の撮像装置。
【請求項１７】
連写後のレビュー表示における前記第２の画像の表示時間は、前記単写モードの場合の撮影後のレビュー表示における画像の表示時間よりも短いことを特徴とする請求項１６に記載の撮像装置。
【請求項１８】
前記ファインダは電子ビューファインダであり、
前記ファインダへの接近検知手段をさらに有し、
前記制御手段は、連写後の前記レビュー表示中に、前記接近検知手段の検知状態が変化したことに応じて、表示中の画像または次の画像の表示時間を延長するように制御することを特徴とする請求項１に記載の撮像装置。
【請求項１９】
被写体像を視認可能なファインダ部と、
前記ファインダ部の外にある表示手段とを有する撮像装置の制御手段であって、
１回の撮影指示に応じて少なくとも第１の撮影と前記第１の撮影の後に行われる第２の撮影とを含む複数の撮影を連続して行う連写で撮影された複数の画像を、前記連写が行われた後にレビュー表示として前記表示手段に順次表示する際に、
前記第１の撮影で取得された第１の画像の表示時間を、前記第２の撮影で取得された第２の画像の表示時間よりも長くするように制御する制御ステップを有することを特徴とする撮像装置の制御方法。
【請求項２０】
コンピュータを、請求項１乃至１８のいずれか１項に記載された撮像装置の各手段として機能させるためのプログラム。
【請求項２１】
コンピュータを、請求項１乃至１８のいずれか１項に記載された撮像装置の各手段として機能させるためのプログラムを格納したコンピュータが読み取り可能な記録媒体。
【発明の詳細な説明】
【技術分野】
【０００１】
本発明は、撮像装置およびその制御方法に関し、特に連写をした後に、確認用として画像を表示する際の技術に関する。
【背景技術】
【０００２】
複数枚の画像を連続で撮影する連写が知られている。特許文献１では、ファインダを覗いた状態で連写を行った後に、接眼部への接眼が検知されなくなったら、背面にある表示部に撮像がされた順序で画像を表示することが開示されている。
【先行技術文献】
【特許文献】
【０００３】
【特許文献１】特開２０１２−１２９６７０号公報
【発明の概要】
【発明が解決しようとする課題】
【０００４】
特許文献１の方法では、ファインダへの接眼が検知されなくなり連写で撮影された画像を順番に表示してしまうと、接眼が検知されなくなってからユーザが背面にある表示部の画像を視認可能になる間に画像の表示が始まってしまう可能性がある。例えば１番目に撮影された画像は一番最初に再生がされるため、ファインダから目を離している途中に２番目の画像へと切り替わってしまい、ユーザが見逃してしまう可能性が高い。また接眼センサのない撮像装置では、ファインダへの接眼状態を検出できないため、連写の終了に応じて確認用の画像の表示を始めてしまうと、特に１番目に撮影された画像を見逃してしまう可能性が高い。
【０００５】
本発明は、上記の課題に鑑み、連写をした後の撮影後の確認用の画像の表示において、画像を見逃す可能性を低減することを目的とする。
【課題を解決するための手段】
【０００６】
上記目的を達成するために、本発明の撮像装置は、被写体像を視認可能なファインダ部と、前記ファインダ部の外にある表示手段と、１回の撮影指示に応じて少なくとも第１の撮影と前記第１の撮影の後に行われる第２の撮影とを含む複数の撮影を連続して行う連写で撮影された複数の画像を、前記連写が行われた後にレビュー表示として前記表示手段に順次表示する際に、前記第１の撮影で取得された第１の画像の表示時間を、前記第２の撮影で取得された第２の画像の表示時間よりも長くするように制御する制御手段とを有することを特徴とする。
【発明の効果】
【０００７】
本発明によれば、連写をした後の撮影後の確認用の画像の表示において、画像を見逃す可能性を低減することができる。
【図面の簡単な説明】
【０００８】
【図１】本実施形態の構成を適用可能な装置の一例としてのデジタルカメラの外観図
【図２】本実施形態の構成を適用可能な装置の一例としてのデジタルカメラの構成例を示すブロック図
【図３】本実施形態における撮影処理を示すフローチャート
【図４】本実施形態における連写レックレビュー処理を示すフローチャート
【図５】本実施形態のファインダを覗いた状態での連写をした場合について時系列で説明するための図
【図６】本実施形態の背面の表示部にライブビュー画像を表示した状態での連写をした場合について時系列で説明するための図
【図７】本実施形態の変形例を説明するための図
【発明を実施するための形態】
【０００９】
以下、図面を参照して本発明の好適な実施形態を説明する。
【００１０】
図１（ａ）、（ｂ）に本発明を適用可能な装置の一例としてのデジタルカメラ１００の外観図を示す。図１（ａ）はデジタルカメラ１００の前面斜視図であり、図１（ｂ）はデジタルカメラ１００の背面斜視図である。図１において、表示部２８は画像や各種情報を表示する、カメラ背面に設けられた表示部である。シャッターボタン６１は撮影指示を行うための操作部である。モード切替スイッチ６０は各種モードを切り替えるための操作部である。端子カバー４０は外部機器との接続ケーブルとデジタルカメラ１００とを接続する接続ケーブル等のコネクタ（不図示）を保護するカバーである。メイン電子ダイヤル７１は操作部７０に含まれる回転操作部材であり、このメイン電子ダイヤル７１を回すことで、シャッター速度や絞りなどの設定値の変更等が行える。電源スイッチ７２はデジタルカメラ１００の電源のＯＮ及びＯＦＦを切り替える操作部材である。サブ電子ダイヤル７３は操作部７０に含まれ、操作部７０に含まれる回転操作部材であり、選択枠の移動や画像送りなどを行える。十字キー７４は操作部７０に含まれ、上、下、左、右部分をそれぞれ押し込み可能な十字キー（４方向キー）である。十字キー７４の押した部分に応じた操作が可能である。ＳＥＴボタン７５は操作部７０に含まれ、押しボタンであり、主に選択項目の決定などに用いられる。
【００１１】
レンズユニット１５０は、レンズを含むレンズユニットである。
【００１２】
ファインダ７６（ファインダ部）は、ユーザが覗き込むことで被写体像を視認可能にする。ファインダ７６は光学ファインダでも電子ビューファインダでもよい。光学ファインダの場合には、フォーカシングスクリーンを観察することで、レンズユニット１５０を通して得た被写体の光学像の焦点や構図の確認をすることができる。また、電子ビューファインダの場合には、ライブビュー画像表示（スルー表示）を行うことができる。なお、ファインダ７６は、接眼検知センサ７７を有しており、ファインダ７６に所定距離以上物体が近付いたことを検知可能である。すなわち、接眼検知センサ７７の検知により、ユーザがファインダ７６を覗いているかが分かる。
【００１３】
ファインダ７６外のデジタルカメラ１００の背面には表示部２８が設けられており、ライブビュー画像やメニュー画面等を表示することができる。
【００１４】
ＬＶボタン７８は操作部７０に含まれ、静止画撮影モードおいてライブビュー（以下、ＬＶ）のＯＮとＯＦＦを切り替えるボタンである。すなわち、後述するファインダ７６が光学ファインダである場合には、背面にある表示部２８にライブビュー画像を表示するのか、ファインダ７６を介して光学像を視認可能にするのかを切り替えることができる。またファインダ７６が電子ビューファインダである場合には、ファインダ内の表示部にライブビュー画像を表示するのか、背面の表示部２８にライブビュー画像を表示するのかを切り替えることができる。
【００１５】
再生ボタン７９は操作部７０に含まれ、撮影モードと再生モードとを切り替える操作ボタンである。撮影モード中に再生ボタン７９を押下することで再生モードに移行し、記録媒体２００に記録された画像のうち最新の画像を表示部２８に表示させることができる。再生モードにおいては、単写で撮影された画像だけなく、連写で撮影された画像を表示できる。ただし、再生モードにおいては、何枚目の撮影画像であっても同じ表示時間（自動的に表示画像が切り替わるスライドショー表示の場合）または、ユーザが切り替え指示をすることにより表示する画像を切り替えることができるようになっている。
【００１６】
図２は、本実施形態によるデジタルカメラ１００の構成例を示すブロック図である。レンズユニット１５０は、交換可能な撮影レンズを搭載するレンズユニットである。
【００１７】
レンズ１０３は通常、複数枚のレンズから構成されるが、ここでは簡略して一枚のレンズのみで示している。
【００１８】
ＡＥセンサー１７は、レンズユニット１５０を通した被写体の輝度を測光する。
【００１９】
焦点検出部１１は、システム制御部５０にデフォーカス量情報を出力する。システム制御部５０はそれに基づいてレンズユニット１５０を制御し、位相差ＡＦを行う。
【００２０】
クイックリターンミラー１２（以下、ミラー１２）は、露光、ライブビュー撮影、動画撮影の際にシステム制御部５０から指示されて、不図示のアクチュエータによりアップダウンされる。ミラー１２は、レンズ１０３から入射した光束をファインダ７６側と撮像部２２側とに切替えるためのミラーである。ミラー１２は通常時はファインダ７６へと光束を導くよう反射させるように配されているが、撮影が行われる場合やライブビュー表示の場合には、撮像部２２へと光束を導くように上方に跳ね上がり光束中から待避する（ミラーアップ）。またミラー１２はその中央部が光の一部を透過できるようにハーフミラーとなっており、光束の一部を、焦点検出を行うための焦点検出部１１に入射するように透過させる。
【００２１】
撮影者は、光学ファインダの場合には、ペンタプリズム１４とファインダ７６を介して、フォーカシングスクリーン１３を観察することで、レンズユニット１５０を通して得た被写体の光学像の焦点や構図の確認が可能となる。
【００２２】
シャッター１０１は、システム制御部５０の制御で撮像部２２の露光時間を自由に制御できるフォーカルプレーンシャッターである。
【００２３】
撮像部２２は光学像を電気信号に変換するＣＣＤやＣＭＯＳ素子等で構成される撮像素子である。Ａ／Ｄ変換器２３は、アナログ信号をデジタル信号に変換する。Ａ／Ｄ変換器２３は、撮像部２２から出力されるアナログ信号をデジタル信号に変換するために用いられる。
【００２４】
画像処理部２４は、Ａ／Ｄ変換器２３からのデータ、又は、メモリ制御部１５からのデータに対し所定の画素補間、縮小といったリサイズ処理や色変換処理を行う。また、画像処理部２４では、撮像した画像データを用いて所定の演算処理が行われ、得られた演算結果に基づいてシステム制御部５０が露光制御、測距制御を行う。これにより、ＴＴＬ（スルー・ザ・レンズ）方式のＡＦ（オートフォーカス）処理、ＡＥ（自動露出）処理、ＥＦ（フラッシュプリ発光）処理が行われる。画像処理部２４では更に、撮像した画像データを用いて所定の演算処理を行い、得られた演算結果に基づいてＴＴＬ方式のＡＷＢ（オートホワイトバランス）処理も行っている。Ａ／Ｄ変換器２３からの出力データは、画像処理部２４及びメモリ制御部１５を介して、或いは、メモリ制御部１５を介してメモリ３２に直接書き込まれる。メモリ３２は、撮像部２２によって得られＡ／Ｄ変換器２３によりデジタルデータに変換された画像データや、表示部２８に表示するための画像データを格納する。メモリ３２は、所定枚数の静止画像や所定時間の動画像および音声を格納するのに十分な記憶容量を備えている。
【００２５】
Ｄ／Ａ変換器１９は、メモリ３２に格納されている画像表示用のデータをアナログ信号に変換して表示部２８に供給する。こうして、メモリ３２に書き込まれた表示用の画像データはＤ／Ａ変換器１９を介して表示部２８により表示される。表示部２８は、ＬＣＤ等の表示器上に、Ｄ／Ａ変換器１９からのアナログ信号に応じた表示を行う。Ａ／Ｄ変換器２３によって一度Ａ／Ｄ変換されメモリ３２に蓄積されたデジタル信号をＤ／Ａ変換器１９においてアナログ変換し、表示部２８に逐次転送して表示することで、電子ビューファインダとして機能し、スルー画像表示（ライブビュー表示）を行える。さらに、ファインダが電子ビューファインダの場合には、表示部２８と同様にアナログ変換した画像を表示することによりライブビュー画像表示をすることができる。
【００２６】
不揮発性メモリ５６は、電気的に消去・記録可能なメモリであり、例えばＥＥＰＲＯＭ等が用いられる。不揮発性メモリ５６には、システム制御部５０の動作用の定数、プログラム等が記憶される。ここでいう、プログラムとは、本実施形態にて後述する各種フローチャートを実行するためのプログラムのことである。
【００２７】
システム制御部５０は、少なくとも１つのプロセッサーを有する制御部であり、デジタルカメラ１００全体を制御する。前述した不揮発性メモリ５６に記録されたプログラムを実行することで、後述する本実施形態の各処理を実現する。システムメモリ５２には、ＲＡＭが用いられ、システム制御部５０の動作用の定数、変数、不揮発性メモリ５６から読み出したプログラム等を展開する。また、システム制御部５０はメモリ３２、Ｄ／Ａ変換器１９、表示部２８等を制御することにより表示制御も行う。
【００２８】
システムタイマー５３は各種制御に用いる時間や、内蔵された時計の時間を計測する計時部である。
【００２９】
モード切替スイッチ６０は、システム制御部５０の動作モードを静止画記録モード（単写モード）、動画撮影モード、連写モード、セルフタイマー撮影等のいずれかに切り替える（選択可能）。
【００３０】
第１シャッタースイッチ６２は、デジタルカメラ１００に設けられたシャッターボタン６１の操作途中、いわゆる半押し（撮影準備指示）でＯＮとなり第１シャッタースイッチ信号ＳＷ１を発生する。第１シャッタースイッチ信号ＳＷ１により、ＡＦ（オートフォーカス）処理、ＡＥ（自動露出）処理、ＡＷＢ（オートホワイトバランス）処理、ＥＦ（フラッシュプリ発光）処理等の動作を開始する。
【００３１】
第２シャッタースイッチ６４は、シャッターボタン６１の操作完了、いわゆる全押し（撮影指示）でＯＮとなり、第２シャッタースイッチ信号ＳＷ２を発生する。システム制御部５０は、第２シャッタースイッチ信号ＳＷ２により、撮像部２２からの信号読み出しから記録媒体２００に画像データを書き込むまでの一連の撮影処理の動作を開始する。
【００３２】
連続撮影（連写）においては、第２シャッタースイッチ信号ＳＷ２の発生期間において連続撮影が行われ、第２シャッタースイッチ信号ＳＷ２が発生しなくなったことにより、連続撮影が終了する。連続撮影は、シャッターボタン６１の押下期間が長くなるほど、撮影枚数が多くなる。連続撮影においては、ピントの位置と露出に関する設定は１枚目の撮影時に設定されたものに、最後の撮影まで固定される。連続撮影において撮影可能な最大の枚数は２００枚までの枚数でユーザが設定することができる。また連続撮影の速度も例えば単位秒毎に１枚〜１４枚まで設定することができる。
【００３３】
操作部７０は、ユーザからの操作を受け付ける入力部としての各種操作部材である。操作部７０には、少なくとも以下の操作部が含まれる。シャッターボタン６１、メイン電子ダイヤル７１、電源スイッチ７２、サブ電子ダイヤル７３、十字キー７４、ＳＥＴボタン７５、ＬＶボタン７８、再生ボタン７９。
【００３４】
電源制御部８０は、電池検出回路、ＤＣ−ＤＣコンバータ、通電するブロックを切り替えるスイッチ回路等により構成され、電池の装着の有無、電池の種類、電池残量の検出を行う。また、電源制御部８０は、その検出結果及びシステム制御部５０の指示に基づいてＤＣ−ＤＣコンバータを制御し、必要な電圧を必要な期間、記録媒体２００を含む各部へ供給する。
【００３５】
電源部３０は、アルカリ電池やリチウム電池等の一次電池やＮｉＣｄ電池やＮｉＭＨ電池、Ｌｉ電池等の二次電池、ＡＣアダプター等からなる。電源スイッチ７２はデジタルカメラ１００の電源のＯＮとＯＦＦを切り替える操作を受付けるスイッチである。
【００３６】
記録媒体Ｉ／Ｆ１８は、メモリカードやハードディスク等の記録媒体２００とのインターフェースである。記録媒体２００は、撮影された画像を記録するためのメモリカード等の記録媒体であり、半導体メモリや磁気ディスク等から構成される。
【００３７】
本実施形態における撮影処理について図３のフローチャートを用いて説明する。図３の撮影処理は、デジタルカメラ１００に電源が入り、起動が完了し、撮影が可能になると開始する。この処理は、不揮発性メモリ５６に記録されたプログラムをシステムメモリ５２に展開してシステム制御部５０が実行することで実現する。
【００３８】
Ｓ３０１では、システム制御部５０は、表示部２８にスルー画像（ライブビュー画像、ＬＶ画像）を表示する。
【００３９】
Ｓ３０２では、システム制御部５０は、ＬＶボタン７８の押下により、ファインダ７６を介して被写体が視認可能な状態へと切り替える操作がされたか否かを判定する。すなわち、ファインダ７６が光学ファインダの場合には、ミラーがダウンし、撮像部２２への光学路が遮断されるためＬＶ画像は表示部２８には表示されなくなり、ファインダ７６を介して光学像が視認可能になるか否かを判定する。また、ファインダ７６が電子ビューファインダの場合には、ＬＶ画像の表示先が表示部２８からファインダ内表示部へと切り替えられたか否かを判定する。ＬＶボタン７８の押下がされたと判定された場合には、Ｓ３０３へ進み、そうでない場合は、Ｓ３０４へ進む。なお、本実施形態ではデジタルカメラ１００の電源のＯＮのタイミングで表示部２８にＬＶ画像が表示されるものとして説明したが、最初にファインダ７６を介して被写体像が視認可能な状態にしていてもよい。
【００４０】
Ｓ３０３では、システム制御部５０は、背面の表示部２８へのＬＶ画像を表示した状態から、ファインダ内で被写体像が視認可能な状態に切り替える。すなわち、ファインダ７６が光学式ファインダの場合には、ミラーダウンをして撮像部２２への光学経路を遮断し、光学像をファインダから視認可能なようにする。ファインダ７６が電子ビューファインダである場合には、ＬＶ画像を表示部２８からファインダ内の表示部に表示されるように切り替える。
【００４１】
Ｓ３０４では、システム制御部５０は、シャッターボタン６１の半押しがされたか、すなわち、ＳＷ１の状態になったか否かを判定する。シャッターボタン６１の半押しがされたと判定された場合には、Ｓ３０５へ進み、そうでない場合は、Ｓ３０６へ進む。
【００４２】
Ｓ３０５では、システム制御部５０は、ＡＦ（オートフォーカス、自動合焦）処理を行う。
【００４３】
Ｓ３０６では、システム制御部５０は、撮影処理を終了する操作がされたか否かを判定する。撮影処理の終了はデジタルカメラ１００の電源のＯＦＦ、再生モードへの切り替え、メニュー画面の表示する操作によって行われる。撮影処理を終了する操作がされたと判定した場合は、撮影処理を終了し、そうでない場合は、Ｓ３０４へ進む。
【００４４】
Ｓ３０７では、システム制御部５０は、モード切替スイッチ６０への操作により撮影モードが連続撮影に設定されたか否かを判定する。連続撮影に撮影モードが設定されていると判定した場合は、Ｓ３０８へ進み、そうでない場合は、Ｓ３１３へ進む。
【００４５】
Ｓ３０８では、システム制御部５０は、シャッターボタン６１の全押しがされたか、すなわち、ＳＷ２の状態になったか否かを判定する。シャッターボタン６１の全押しがされたと判定された場合には、Ｓ３０９へ進み、そうでない場合は、Ｓ３０４へ進む。図５は本実施形態におけるファインダ７６を覗いた状態で撮影が行われた際の接眼センサの検知状態、撮影指示の状態（ＳＷ２のＯＮか否か）、撮影状態、画像の表示について、時系列に説明するための図である。Ｓ３０８の処理は図５において、撮影の１枚目の開始に対応する。
【００４６】
Ｓ３０９では、システム制御部５０は、Ｎ枚目の撮影処理を行う。ＮはＳ３０９の処理を行う度にＮ＝Ｎ＋１としてインクリメントしていく。すなわち、１枚目の撮影後２枚目以降は、後述するＳ３１０においてＹｅｓと判定されない限り、撮影枚数Ｎが増加していく。撮影枚数Ｎはシステムメモリ５２に記録される。なお、Ｓ３０５のけるＡＦ処理は撮影のたびに行うのではなく、２枚目以降は１枚目の撮影前に行われたＡＦ処理に基づいて撮影が行われる。Ｓ３０９の処理は図５においてＳ３０８とＳ３１０で示す箇所の間の期間に相当する。また、この期間には順次、（撮像部で取得された画像から）確認用の画像作成処理が行われ、Ｎ枚目の撮影画像の画像作成処理が終わるまで続く。なお確認用の画像は再生モードにおいて表示される画像よりも画質を向上させずに、短時間で表示できるようにするものである。これによりユーザが大まかに撮影画像の様子を確認することができる。
【００４７】
Ｓ３１０では、システム制御部５０は、シャッターボタン６１の全押しが解除されたか、すなわち、ＳＷ２が解除された状態になったか否かを判定する。シャッターボタン６１の全押しが解除されたと判定された場合には、Ｓ３１１へ進み、そうでない場合は、Ｓ３０９へ進む。
【００４８】
Ｓ３１１では、システム制御部５０は、シャッターボタン６１の全押しがされたか、すなわち、ＳＷ２の状態になったか否かを判定する。シャッターボタン６１の全押しがされたと判定された場合には、Ｓ３０９へ進み連写を再び行い、そうでない場合は、Ｓ３１２へ進む。Ｓ３１０において一度ＳＷ２がＯＦＦになった後、ＳＷ１がＯＦＦにならずに再びＳＷ２がＯＮになった場合は再び連測撮影を行う。ただし、Ｓ３１１においてＹｅｓと判定されて開始された連続撮影は、直前の連測撮影の続きとして記録されるわけではなく、１枚目として連続撮影が開始する。なお、連続撮影が連続で行われても、１回目の連続撮影の前に行われたＡＦ処理における設定に固定されたままである。
【００４９】
Ｓ３１２では、システム制御部５０は、シャッターボタン６１の半押しが解除されたか、すなわち、ＳＷ１が解除された状態になったか否かを判定する。シャッターボタン６１の半押しが解除されたと判定された場合には、Ｓ３１３へ進み、そうでない場合は、ＳＷ１が解除されるまで待つ。
【００５０】
Ｓ３１３では、システム制御部５０は、連写レックレビュー処理（連写のレビュー表示の処理）を行う。連写レックレビュー処理については、図４を用いて後述する。また、何回か連続して連続撮影を行った場合には、最後の連続撮影の回の撮影画像が表示される。
【００５１】
Ｓ３１４〜Ｓ３１７の処理は連続撮影ではなく、単写撮影の場合の処理である。
【００５２】
Ｓ３１４では、システム制御部５０は、シャッターボタン６１の全押しがされたか、すなわち、ＳＷ２の状態になったか否かを判定する。シャッターボタン６１の全押しがされたと判定された場合には、Ｓ３１５へ進み、そうでない場合は、Ｓ３０４へ進む。
【００５３】
Ｓ３１５では、システム制御部５０は、１枚分の撮影処理を行う。
【００５４】
Ｓ３１６では、システム制御部５０は、シャッターボタン６１の半押しが解除されたか、すなわち、ＳＷ１が解除された状態になったか否かを判定する。シャッターボタン６１の半押しが解除されたと判定された場合には、Ｓ３１７へ進み、そうでない場合は、ＳＷ１が解除されるまで待つ。
【００５５】
Ｓ３１７では、システム制御部５０は、直前のＳ３１４において撮影した撮影画像を表示部２８に所定時間Ｔ１の期間表示（レックレビュー、撮影後の確認用の表示を）する。Ｔ１とは例えば２秒や１．５秒といった期間である。
【００５６】
なお、Ｓ３０７において行った連続撮影か否かの判定はＳ３０４の前に行ってもよい。
【００５７】
次に、図４を用いて図３のＳ３１３における連写レックレビューの処理を説明する。この処理は、図３のＳ３１２に進むと（連写後のレビュー表示として）開始する。この処理は、不揮発性メモリ５６に記録されたプログラムをシステムメモリ５２に展開してシステム制御部５０が実行することで実現する。なお、図３において複数回連続で連続撮影が行われた場合には、最後の回の連続撮影での複数の画像が、図４において確認用の画像として表示される。
【００５８】
Ｓ４０１では、システム制御部５０は、接眼検知センサ７７が物体の接近を検知しているか（接眼検知中か）否かを判定する。接眼検知センサ７７が物体の接近を検知していると判定した場合は、接近の検知がされなくなるまで待ち、そうでない場合（接近検知がされなくなった）にはＳ４０２に進む。Ｓ４０１の処理は、図５においてＳ４０１は撮影が終了した後（Ｓ３１０の後）接眼センサがＯＦＦになったところに対応する。
【００５９】
Ｓ４０２では、システム制御部５０は、表示準備処理（所定時間Ｔ４）を行う。Ｓ４０２の処理は、図５においてＳ４０１の後の期間に対応し、表示準備処理が終了すると（確認用の画像が表示可能となり）、Ｓ４０３の撮影画像を表示する処理へと進む。ここで表示準備処理にかかる時間は０．２秒や０．３秒といった時間である。
【００６０】
Ｓ４０３では、システム制御部５０は、連続撮影が表示部２８にＬＶ画像が表示された状態で撮影がされたか否かを判定する。表示部２８にＬＶ画像が表示された状態で撮影がされたと判定した場合は、Ｓ４０４へ進み、そうでない（光学ファインダ内において光学像が視認可能な状態、もしくは電子ビューファインダでＬＶ画像が表示された状態で撮影が行われた）場合は、Ｓ４０５へ進む。なおＳ４０３の判定は、接眼検知センサ７７の物体の接近が検知されていない状態で撮影がされたか、否かにより行ってもよい。
【００６１】
Ｓ４０４では、システム制御部５０は、連続撮影された１枚目の撮影画像を表示部２８に所定時間Ｔ２の間表示する。Ｔ２は例えば１秒や１．５秒といった期間である。図６には本実施形態における接眼センサの検知状態、撮影指示の状態（ＳＷ２のＯＮか否か）、撮影状態、画像の表示について、時系列に説明するための図である。Ｓ３０８の処理は図５において、撮影の１枚目の開始に対応する。図６は本実施形態におけるファインダ７６を覗かずに撮影が行われた際の接眼センサの検知状態、撮影指示の状態（ＳＷ２のＯＮか否か）、撮影状態、画像の表示について、時系列に説明するための図である。図５とはＳ３１０で示す箇所まで同じである。ユーザがファインダを覗かない状態、すなわち表示部２８のＬＶ画像を見ながら撮影をしたので、そのまま表示部２８の１枚目の撮影画像を表示してもユーザが見逃す可能性は低い。よって、Ｓ４０４では図６に示すように、２枚目以降の撮影画像の表示時間と同じ時間１枚目の画像を表示部２８に表示をする。
【００６２】
Ｓ４０５では、システム制御部５０は、連続撮影された１枚目の撮影画像を表示部２８に所定時間Ｔ２よりも長い所定時間Ｔ３の間表示する。Ｔ３は例えば２秒や３秒といった期間である。Ｓ４０５の処理は、図５の画像１の表示時間に対応し、画像２以降の表示時間よりも長い時間、１枚目の撮影画像である画像１が表示されることを示している。ファインダ７６への接近の検知をしなくなるタイミング、すなわちファインダ７６からの離眼を開始したタイミングでは、表示部２８にＬＶ画像を表示して連続撮影を行った時のようにユーザが表示部２８を見ていない、または一部しか見えていない可能性が高い。よって、１枚目の撮影画像の表示時間を長めにすることで、ユーザは１枚目の撮影画像の表示が開始（レックレビューが開始）したことを認識した後、目線を表示部２８にうつしたとしてもまだ１枚目の撮影画像を確認する時間がある可能性が高い。一方で、２枚目以降の撮影画像の表示時間と同じにしてしまうと、離眼の開始から非接眼状態になり、ユーザが表示部２８の画像をきちんと見れる状態になったときには１枚目の撮影画像が終了し、２枚目や３枚目の撮影画像の表示がされている可能性がある。Ｓ４０５において１枚目の撮影画像を２枚目以降の表示時間よりも長いＴ３、表示することでユーザは１枚目の撮影画像を見逃す可能性が低減する。Ｓ４０１において接眼が検知されなくなった後、表示準備処理を経てすぐに１枚目の撮影画像を表示しているが、１枚目の撮影画像をユーザが見逃さないように、ある程度時間が経過を立ってから表示を開始してしまうと、反応が遅いと感じられてしまう可能性がある。ユーザが接眼状態から離眼状態になり、表示部２８に確認用の撮影画像の表示がされるのを待っているのに、なかなか表示がされないと、離眼状態になったとカメラ側が分かっていないのか、表示に時間がかかるのか、と感じてしまう可能性がある。よって、撮影終了後の確認用の撮影画像の表示は、時間を開けずに行った方がよい。しかしながら、撮影終了後すぐに表示を開始し、すぐに次の画像に切り替えてしまうとユーザが１枚目の撮影画像を見逃す可能性があるので、１枚目の撮影画像は長めに表示をするようにする。
【００６３】
Ｓ４０６では、システム制御部５０は、２枚目以降の（ｎ＋１）枚目の撮影画像を表示部２８に所定時間Ｔ２の間表示する。ここで、ｎ枚目の撮影画像とは直前に表示された撮影画像を指す。つまり、ファインダ７６を覗き込んだ状態で連続撮影がされた場合には、撮影画像の１枚目を２枚目以降の撮影画像よりも長く表示し、背面の表示部２８を見ながら連続撮影がされた場合には、撮影画像の１枚目でも２枚目以降でも同じ時間表示がされる。言い換えれば、連続撮影が行われた際にファインダ７６を覗いた状態で撮影が行われたか否かで１枚目の撮影画像の表示時間が変わる。
【００６４】
Ｓ４０７では、システム制御部５０は、直前のＳ４０６において表示した撮影画像がＮ枚目の撮影画像、すなわち、連続撮影の最後の撮影画像であったか否かを判定する。Ｎ枚目の撮影画像であると判定した場合は、連写レックレビュー処理を終了し、そうでない場合は、Ｓ４０６へ進み、次の撮影画像の表示をする。連続撮影における確認用の撮影画像の表示では、ユーザの操作がなくても自動で、例えば１枚目の撮影画像が表示されてから所定時間が経過したら次の撮影画像に表示が切り替わる。すなわち、撮影された連写の画像が自動で、順次表示される（順次表示可能）。
【００６５】
なお、連続撮影の撮影画像の表示中に、ユーザが操作部７０への操作をした場合には、他の操作をしようとしている可能性が高い。よって、操作部７０への操作がされたことに応じてＮ枚目の撮影画像の表示が終了していなくても（Ｎ枚目より前の撮影画像の表示中でも）連写レックレビューの処理を終了する。
【００６６】
以上、説明した実施形態によれば、ユーザがファインダを用いて連続撮影をした場合に、撮影画像を見逃す可能性を低減することができる。
【００６７】
図７を用いて本実施形態の変形例について説明する。図７は、ファインダ７６を覗いた状態でユーザが連続撮影を行った場合の変形例を示している。
【００６８】
図７（ａ）は、図３のＳ３１１においてＹｅｓ、つまり連続撮影後、ＳＷ１がＯＦＦになった（シャッターボタン６１が押下されていない状態）ことに応じてレックレビューを開始することを示す図である。Ｓ３１１においてＹｅｓと判定されると、図４のＳ４０２に対応する表示準備処理を行い、その後、Ｓ４０５に対応する１枚目の撮影画像の表示を２枚目以降の撮影画像よりも長い時間行う。図７（ａ）の変形例においては図４のＳ４０１の接眼検知をしたか否かの判定によらずに、ＳＷ１がＯＦＦになったことに応じて連続撮影のレックレビューを開始する。接眼検知センサ７７が無いような撮像装置であっても、図７（ａ）の変形例は適用可能である。ＳＷ２をＯＮにして連続撮影を開始した後、ＳＷ２をＯＦＦし、さらにＳＷ１をＯＮにした状態を保持していれば、ユーザは所望のタイミングでＳＷ１をＯＦＦにすれば連測撮影のレックレビューを開始することができる。ＳＷ１がＯＦＦにならない限りは連続撮影のレックレビューは行わないが、ユーザがファインダ７６を覗いている時は、デジタルカメラ１００をしっかりとホールドしながら操作を行っている。よって、接眼状態から非接眼状態になっている途中にＳＷ１のＯＮの状態を保持できず、意図せずＳＷ１ＯＦＦしてしまう可能性が高い。しかしながら図７（ａ）に示した変形例によれば、１枚目の撮影画像の表示時間が長いので、ユーザは１枚目の撮影画像を見逃す可能性を低減することができる。
【００６９】
図７（ｂ）は、図３のＳ３１０においてＹｅｓ、つまりＳＷ２がＯＦＦにされ、連続撮影を終了する指示がされたことに応じてレックレビューを開始することを示す図である。連続撮影が終了したことに応じて、図４のＳ４０２に対応する表示準備処理を行う、その後、Ｓ４０５に対応する１枚目の撮影画像の表示を２枚目以降の撮影画像よりも長い時間行う。図７（ｂ）の変形例においては、図３のＳ３１１のＳＷ１ＯＦＦの判定や、図４のＳ４０１の接眼検知をしたか否かの判定によらずに、ＳＷ２がＯＦＦになったことに応じて連続撮影のレックレビューを開始する。
【００７０】
接眼検知センサ７７がないような撮像装置であっても、図７（ｂ）の変形例は適用可能である。
【００７１】
なお、変形例における１枚目の撮影画像の表示時間は、図４のＳ４０１において接眼検知がしなくなったことに応じて１枚目の撮影画像の表示を開始する場合よりも長く設定してもよい。ユーザは接眼を開始していなくても、撮影中には表示がされていなかった表示部２８に画像が表示され始めるので、レックレビューが開始したことを認識することができる。
【００７２】
図７（ｃ）は、ファインダ７６が電子ビューファインダである場合に、ファインダ内の表示部においてレックレビューを開始する場合を示している。上述の実施形態と変形例では、レックレビューの表示は表示部２８において行うものとして説明をしたがファインダ内の表示部において行ってもよい。図７（ｃ）に示す変形例では、タイミング７０１に示すタイミングで連続撮影が終了し、確認用の画像の作成が終了したら図４のＳ４０２に対応する表示準備処理を行う。表示準備処理が終了すると、タイミング７０２に示すタイミングで１枚目の撮影画像の表示を開始する。このとき、ユーザは接眼中であり、ファインダ内の表示部を視認にしているので、表示時間は２枚目以降の撮影画像を同じＴ２の時間とする。タイミング７０３に示すように、２枚目の撮影画像のファインダ内表示部への表示中に離眼（すなわち、図４のＳ４０１がＮＯと判定）された場合には、２枚目の表示をする所定時間をＴ２からＴ３へと延長する。これにより、離眼途中に２枚目から３枚目の画像へと切り替わってしまい、２枚目の画像を見逃してしまう可能性が低減する。さらに、タイミング７０４に示すように、再び接眼が検知された場合にも、表示中の４枚目の撮影画像の表示をする所定時間をＴ２からＴ３に延長する。図７（ｃ）によれば、レックレビュー中にファインダ７６への接眼状態に変化があった場合に、表示中の撮影画像の表示時間を長くするので、ユーザが途中で接眼状態を変えたとしても撮影画像を見逃す可能性が低減する。なお、表示中の撮影画像をユーザが確認した後に、接眼状態を変えた場合には、表示中の画像ではなく次に表示する画像の表示時間を長くしてもよい。つまり、所定時間Ｔ２のうち、例えば３分の４以上時間が経過していた場合には、接眼状態が変わっても表示中の撮影画像の所定時間はＴ２から変えず、次に表示する撮影画像の所定時間をＴ３に長くするようにしてもよい。また表示中の撮影画像と、次の撮影画像共に表示時間を長くするようにしてもよい。
【００７３】
以上、説明した変形例によれば、ユーザは連続撮影の撮影後のレックレビューにおいて、接眼状態を変えた際に、撮影画像を見逃す可能性を低減することができる。
【００７４】
なお、ファインダ覗いた状態での連続撮影において、ユーザが事前に指定した期間だけ、１枚目の撮影画像の表示時間の計測開始を遅らせるようにしてもよい。つまり、ユーザの指定した期間＋Ｔ３が経過すると、２枚目の撮影画像に切り替わる。このとき、ユーザが事前に指定した期間に、１枚目の撮影画像を表示していてもいなくてもよい。
【００７５】
また、連続撮影された撮像画像のうち、表示をする所定時間を長くするのは１枚目でなくても２枚目や３枚目まで等の所定の順番の撮像画像でもよく、さらに１枚目〜所定の順番の撮像画像までは表示をする所定時間を徐々に短くしてもよい。すなわち、１枚目は３秒、２枚目は２．５秒、３枚目は２．０秒、４枚目は１．５秒、５枚目以降は１秒としてもよい。
【００７６】
なお、表示部２８にＬＶ画像を表示した状態で連続撮影を行った場合にも１枚目の撮影画像の表示をする所定時間の計測開始を遅らせるようにしてもよい。連続撮影後に撮影を行うためのデジタルカメラ１００を構えた体制から、表示部２８を見やすく持ち変えるような場合には、１枚目が２枚目以降の撮影画像と同じ表示時間だと、持ち変えをしている間に、１枚目の撮影画像を見逃してしまう可能性がある。しかし、１枚目の表示をする所定時間の計測開始を遅らせることで、ユーザは連続撮影の撮影画像を見逃すことなく、確認することができる。
【００７７】
また、図３のＳ３１６に示す１枚撮影の場合の撮影画像の表示時間は、連続撮影の際の２枚目以降の表示時間よりも長くするようにしても同じにしてもよい。１枚撮影の場合には詳細までユーザが確認したい可能性が高いので、１枚の時の表示時間を、連続撮影の場合よりも長くした方が詳細を確認しやすくなる。また連続撮影の場合には、連続撮影で得られた複数の画像の全体像や、被写体の動きを確認したいので、表示時間は１枚の時よりも短い方が素早く確認をすることができる。
【００７８】
上述した所定時間は一例であり、ユーザが設定できるようにしてもよいし、連続撮影の枚数に応じてＴ２やＴ３の時間を調整してもよい。つまり、撮影枚数が増えるほど全ての撮影画像を表示するのに時間を要するので、Ｔ２やＴ３を短く設定してもよい。もしくは、撮影枚数が増えても表示時間は一定として、１５枚や２０枚等の所定枚数しか表示しないようにしてもよい。
【００７９】
なお、システム制御部５０が行うものとして説明した上述の各種の制御は１つのハードウェアが行ってもよいし、複数のハードウェアが処理を分担することで、装置全体の制御を行ってもよい。
【００８０】
また、本発明をその好適な実施形態に基づいて詳述してきたが、本発明はこれら特定の実施形態に限られるものではなく、この発明の要旨を逸脱しない範囲の様々な形態も本発明に含まれる。さらに、上述した各実施形態は本発明の一実施形態を示すものにすぎず、各実施形態を適宜組み合わせることも可能である。
【００８１】
また、上述した実施形態においては、本発明をデジタルカメラ１００に適用した場合を例にして説明したが、これはこの例に限定されず、ファインダを有する連続撮影が可能な撮像装置であれば適用可能である。すなわち、本発明はファインダを有する携帯電話端末や携帯型の画像ビューワ、ファインダを備えるプリンタ装置、デジタルフォトフレーム、音楽プレーヤー、ゲーム機、電子ブックリーダーなどに適用可能である。
【００８２】
（他の実施形態）
本発明は、以下の処理を実行することによっても実現される。即ち、上述した実施形態の機能を実現するソフトウェア（プログラム）をネットワーク又は各種記録媒体を介してシステム或いは装置に供給し、そのシステム或いは装置のコンピュータ（又はＣＰＵやＭＰＵ等）がプログラムコードを読み出して実行する処理である。この場合、そのプログラム、及び該プログラムを記憶した記録媒体は本発明を構成することになる。
【図１】
2018125820.tif 000003
【図２】
2018125820.tif 000004
【図３】
2018125820.tif 000005
【図４】
2018125820.tif 000006
【図５】
2018125820.tif 000007
【図６】
2018125820.tif 000008
【図７】
2018125820.tif 000009